(57)【要約】      （修正有）【課題】コネクタをホルダに挿入する際にハウジングカバーが捲れ上がらない組み付け作業性に優れたコネクタを提供する。【解決手段】各ハウジング本体１１０の上面において、当該ハウジング本体１１０の接続用端子嵌合面側とハウジングカバー１４０の先端との間のハウジング幅方向両端近傍にそれぞれカバー捲れ防止用リブ１１９が形成されている。このカバー捲れ防止用リブ１１９の高さは、ハウジングカバー１４０の厚みよりも低くなるように形成されている。このカバー捲れ防止用リブ１１９は、ハウジング本体上面の端子嵌合面上縁であって各カバー捲れ防止用リブ１１９がコネクタハウジング積層時に積層されるコネクタハウジングの成型抜き穴１２３に進入する位置に形成されている。ハウジングカバー１４０のコネクタハウジング端子嵌合両側先端に当該カバー捲れ防止用テーパ部１４２が形成されている。【選択図】  図４
2007012395.tif 000002
【特許請求の範囲】
【請求項１】
それぞれが複数の接続用端子を並列して収容するとともに係合凸部と係合凹部とを備えて当該係合凹部と相手側の係合凸部とが互いに係合することで積層される複数のコネクタハウジングと、
前記積層されたコネクタハウジングの最上面に被せられるカバーであり、当該カバーが被せられたコネクタハウジングの接続用端子抜け防止用突起部を有するカバーを備えたコネクタであって、
前記カバーの先端が前記積層されたコネクタハウジングの最上段に位置するコネクタハウジングの接続用端子嵌合面よりも後退した位置で当該コネクタハウジングに被せられることを特徴とするコネクタ。
【請求項２】
前記積層されたコネクタハウジングの最上段に位置するコネクタハウジングの前記カバーが被せられる上面において、当該コネクタハウジングの接続用端子嵌合面側と前記カバーの先端との間のハウジング幅方向少なくとも一部にカバー捲れ防止用リブが形成されていることを特徴とする、請求項１に記載のコネクタ。
【請求項３】
それぞれが複数の接続用端子を並列して収容するとともに係合凸部と係合凹部とを備えて当該係合凹部と相手側の係合凸部とが互いに係合することで積層される複数のコネクタハウジングと、
前記積層されたコネクタハウジングの最上面に被せられたカバーであり、当該カバーが被せられたコネクタハウジングの接続用端子抜け防止用突起部を有するカバーを備えたコネクタであって、
前記ハウジングカバーのコネクタハウジング端子嵌合面側先端に当該カバー捲れ防止用テーパ部が形成されていることを特徴とするコネクタ。
【請求項４】
前記コネクタハウジングは樹脂でできているとともに、当該コネクタハウジングには接続用端子係合保持用ランスが形成され、かつ当該コネクタハウジング下面には前記接続用端子係合保持用ランス形成用の成型抜き穴が形成され、前記カバー捲れ防止用リブが前記コネクタハウジング積層時に積層されるコネクタハウジングの前記成型抜き穴に進入する位置に形成されていることを特徴とする、請求項２に記載のコネクタ。
【発明の詳細な説明】
【技術分野】
【０００１】
本発明は例えば自動車等に搭載された各種電装部品間の接続用ワイヤーハーネスの分岐接続に使用されるコネクタに関する。
【背景技術】
【０００２】
自動車等に搭載された各種電装部品間の接続用ワイヤーハーネスの分岐接続にはいわゆるコネクタが使用されている（例えば、特許文献１参照）。かかるコネクタは、例えば、ワイヤーハーネス等を構成する電線に圧着等により接続された接続用端子を収容する複数の端子収容室が併設された樹脂製の複数のコネクタハウジングを互いに積層させて構成されている。そして、コネクタをホルダに挿入してホルダごとオスコネクタに嵌合させてコネクタ接続作業を効率的に実現している。
【特許文献１】特開２００５−２５９９７号公報
【発明の開示】
【発明が解決しようとする課題】
【０００３】
このようなコネクタの最上段に積層されたコネクタハウジングに関して、このコネクタハウジングに収容された接続用端子の抜けを防止するために更にカバーを被せる等の特別な工夫が考えられている。積層される各コネクタハウジングを共用化した場合、このようなカバーを被せることで、最上段に積層されたコネクタハウジングに形成された端子抜け防止用穴部からゴミ等の異物が侵入するのを合せて防止する。以下、このような新しく提案されている本発明の関連技術であるカバー付きのコネクタの構造を図面に基づいて説明する。
【０００４】
図１４に示すこのコネクタ１は、全て例えばＰＢＴなどの成型性と強度に優れた材質でできており、下端ハウジング５０と、これに積層されたハウジング本体１０と、最上段のハウジング本体１０の上面に被せられたハウジングカバー４０とから構成されている。
【０００５】
また、矩形状をなすハウジングカバー４０の前側端部はコネクタの端子嵌合面と同一面までほぼ達している。（図１５参照）。また、ハウジングカバー４０の裏面には、その幅方向両側にそれぞれ２つずつ係合凸部４３，４４が形成されている（図１４参照）。また、ハウジングカバー４０の中央部分には接続用端子抜け防止用の係止突起部４８がカバー幅方向に所定間隔をなして形成されている（図１５参照）。
【０００６】
ハウジング本体１０は、図１４及び図１５に示すように、内部に端子収容室１６が６ヶ所並列に形成され、ハウジング本体上面にこの端子収容室１６にそれぞれ対応する端子抜け防止用の窓部１７（図１５参照）が６ヶ所形成されている。また、ハウジング本体１０の両側部には積層される上側のハウジング本体１０又はハウジングカバー４０に係合する係合凹部３１，３２がそれぞれ前後方向に形成されている（図１４参照）。
【０００７】
また、ハウジング本体下面には、端子抜け防止用の係止突起部３０がハウジング幅方向所定間隔を隔てて形成されている（図１５参照）。また、ハウジング本体下面の両側部の前側にはハウジングカバー４０に形成された係合凸部４３と同様の係合凸部３３が形成されるとともに、後側にもハウジングカバー４０に形成された係合凸部４４と同様の係合凸部３４が形成されている（図１４参照）。
【０００８】
また、各端子収容室１６には、各接続用端子と係合するランス２２が形成されている（図１５参照）。
【０００９】
下端ハウジング５０は、上述したハウジング本体１０の構成と基本的に同じであるが、コネクタ組み付け状態においてこれが最も下側に位置することから明らかな通り、下端ハウジング５０の下面両側部前後に係合凸部が形成されていない点と、各端子収容室５６（図１５参照）に対応する位置に端子抜け防止用突起部が形成されていない点が上述したハウジング本体１０と構成上異なっている。
【００１０】
すなわち、それ以外の構成、具体的にはハウジング内の端子収容室５６、接続用端子を保持するランス６２、ハウジング上面の窓部５７、ハウジング両側部の前後方向に突出した係合凹部７１，７２はハウジング本体１０と同様の構成として形成されている。
【００１１】
以上のような構成を有する下端ハウジング５０、ハウジング本体１０、及びハウジングカバー４０をこの順番に積層させていく。図１４は、このようにして組付けたコネクタ１の斜視図である。
【００１２】
続いて、このように組付けられたコネクタ１を挿入収容するホルダ５００について説明する。このホルダ５００は、図１６に示すように、上述のように組付けたコネクタ１を挿入収容し、コネクタ１に挿入されたメス端子をオスコネクタ（図示せず）のオス端子に嵌合させる役目を果たしている。なお、ホルダ５００は、強度と成型性に優れた例えばＰＢＴなどの樹脂でできている。
【００１３】
なお、ホルダ５００には、図１６には示さないが、テコの原理を利用してこれらのコネクタ１００や単層のコネクタの接続用端子をオスコネクタのオス端子に低嵌合させる側面視角型Ｕ字状をなしたレバーがホルダ５００を跨ぐように取り付けられている。なお、ホルダ５００の図１６に示す図上下側壁に形成された突起部５１０はレバーの回転支点である。
【００１４】
以上のようにホルダ５００に積層コネクタや単層コネクタを挿入収容した後、各ホルダ５００に備わったレバーを起こして各ホルダ５００を例えばＰＢＴ等の強度と成型性に優れたオスコネクタ（図示せず）の所定のホルダ収容部に挿入する。オスコネクタには底部にホルダの極数に対応したオス端子が突出形成されている。また、これらのオス端子はここでは図示しない基板等に接続されている。そして、オスコネクタの各ホルダ収容部にレバーを立てたままホルダを挿入した後、ホルダ側の接続用端子をオスコネクタ側のオス端子に半嵌合させた状態でレバーを倒すことで、ここでは詳細には図示しないが、レバーに備わった係合爪とオスコネクタの係合凹部とが係合しながらテコの原理によってホルダがオスコネクタの各ホルダ収容部に低嵌合力で引き込まれる。これによって、ホルダ側に備わったメス端子をオスコネクタ側に備わったオス端子に完全嵌合させるように導く。
【００１５】
このような構成を有するコネクタの場合、ハウジング本体１０を積層させてハウジングカバー４０を被せた後、ハーネス組み立て工程においてコネクタ１をホルダ５００に挿入する前に他のコネクタや工具などの異物がハウジングカバー前端に接触することでハウジングカバー４０が捲れ上がってしまうことがある。
【００１６】
コネクタ１をホルダ５００に挿入する前においては、ハウジングカバー４０がハウジング本体から捲れ上がった後に更なる衝撃が加わってハウジング本体１０から逸脱してしまったままこれを放置すると、端子抜け防止用の窓部１７から異物が侵入するおそれがある。
【００１７】
また、このような異物がハウジングカバー前端に接触しなくても、コネクタ１をホルダ５００に挿入する際にホルダ５００の開口端面にハウジングカバー４０の先端が引っ掛かり、ハウジングカバー４０が捲れ上がったままコネクタ１を無理に挿入しようとしてコネクタ１を破損したり、ハウジングカバー４０が捲れ上がった後、最上段のハウジング本体１０から外れて、ハウジングカバー無しのままホルダ５００にコネクタ１が挿入されてしたりする。挿入時にハウジングカバー４０が外れて逸脱してハウジングカバー無しの状態でコネクタ１がホルダ５００に挿入されてしまうと、積層されたハウジング本体１０の最上段にあるハウジング本体１０の端子抜け防止用の窓部１７にハウジングカバー４０の係止突起部４８が係合することがなくなり、最上段のハウジング本体１０の接続用端子が抜け易くなってしまう。なお、このような端子抜けの問題は、コネクタ１をホルダ５００に挿入した後、ホルダ５００とオスコネクタとの端子完全嵌合を行う際に発生する可能性がある。
【００１８】
本発明の目的は、コネクタをホルダに挿入する際にハウジングカバーが捲れ上がることのない組み付け作業性に優れたコネクタを提供することにある。
【課題を解決するための手段】
【００１９】
上記目的を達成するために、本発明の請求項１に記載されたコネクタは、それぞれが複数の接続用端子を並列して収容するとともに係合凸部と係合凹部とを備えて当該係合凹部と相手側の係合凸部とが互いに係合することで積層される複数のコネクタハウジングと、
前記積層されたコネクタハウジングの最上面に被せられるカバーであって、当該カバーが被せられたコネクタハウジングの接続用端子抜け防止用突起部を有するカバーを備えたコネクタであって、
前記カバーの先端が前記積層されたコネクタハウジングの最上段に位置するコネクタハウジングの接続用端子嵌合面よりも後退した位置で当該コネクタハウジングに被せられることを特徴としている。
【００２０】
カバーの先端がこのようにコネクタハウジングの接続用端子嵌合面よりも後退していることで、コネクタをホルダに挿入する際にカバーがホルダ開口端面に引っ掛って捲れ上がることがない。その結果、カバーが外れたままコネクタをホルダに挿入して接続用端子が抜け易くなるのを防止する。
【００２１】
また、本発明の請求項２に記載されたコネクタは、請求項１記載のコネクタにおいて、
前記積層されたコネクタハウジングの最上段に位置するコネクタハウジングの前記カバーが被せられる上面において、当該コネクタハウジングの接続用端子嵌合面側と前記カバーの先端との間のハウジング幅方向少なくとも一部にカバー捲れ防止用リブが形成されていることを特徴としている。
【００２２】
コネクタハウジングの接続用端子嵌合面側とカバーの先端との間のハウジング幅方向少なくとも一部にこのようなカバー捲れ防止用リブが形成されていることで、コネクタをホルダに挿入する際にカバーがホルダ開口端面に引っ掛って捲れ上がることがない。その結果、カバーが外れたままコネクタをホルダに挿入して接続用端子が抜け易くなるのを防止する。
【００２３】
また、本発明の請求項３に記載されたコネクタは、請求項１又は請求項２に記載のコネクタにおいて、
それぞれが複数の接続用端子を並列して収容するとともに係合凸部と係合凹部とを備えて当該係合凹部と相手側の係合凸部とが互いに係合することで積層される複数のコネクタハウジングと、
前記積層されたコネクタハウジングの最上面に被せられたカバーであって、当該カバーが被せられたコネクタハウジングの接続用端子抜け防止用突起部を有するカバーを備えたコネクタであって、
前記ハウジングカバーのコネクタハウジング端子嵌合面側先端に当該カバー捲れ防止用テーパ部が形成されていることを特徴としている。
【００２４】
カバーのコネクタハウジング端子嵌合面側先端にこのようなカバー捲れ防止用テーパ部が形成されていることで、コネクタをホルダに挿入する際にカバーがホルダ開口端面に引っ掛って捲れ上がることがない。その結果、カバーが外れたままコネクタをホルダに挿入して接続用端子が抜け易くなるのを防止する。
【００２５】
また、本発明の請求項４に記載された発明は、請求項２に記載のコネクタにおいて、
前記コネクタハウジングは樹脂でできているとともに、当該コネクタハウジングには接続用端子係合保持用ランスが形成され、かつ当該コネクタハウジング下面には前記接続用端子係合保持用ランス形成用の成型抜き穴が形成され、前記カバー捲れ防止用リブが前記コネクタハウジング積層時に積層されるコネクタハウジングの前記成型抜き穴に進入する位置に形成されていることを特徴としている。
【００２６】
このような構造をとることで、上述した請求項２の作用に加えて、コネクタハウジング同士を積層させたときに下側のコネクタハウジングのカバー捲れ防止用リブが上側のコネクタハウジングの成型抜き穴に入り込み、上側のコネクタハウジングに干渉することがない。その結果、積層される各コネクタハウジングにカバー捲れ防止用リブを形成することができ、コネクタハウジングの部品共用化を図ることができるようになる。
【発明の効果】
【００２７】
本発明によると、コネクタをホルダに挿入する際にハウジングカバーが捲れ上がることのない組み付け作業性に優れたコネクタを提供することができる。
【発明を実施するための最良の形態】
【００２８】
以下、本発明の一実施形態に係るコネクタについて説明する。本発明の一実施形態に係るコネクタ１００は、上述した関連技術において説明したコネクタ１と共通の基本的構成を有する。具体的には、コネクタ１００は、全て例えばＰＢＴなどの成型性と強度に優れた材質でできており、図１乃至図５に示すように、ハウジングカバー１４０と、ハウジング本体１１０と、下端ハウジング１５０とから構成されている。
【００２９】
しかしながら、ハウジングカバー前端部とハウジング本体上面の端子嵌合面側の構成が上述した関連技術のコネクタと構成を異にする。以下、コネクタ１の具体的構成を詳細に説明する。
【００３０】
ハウジングカバー１４０は、図１（Ａ）に示すように、その上面の一定領域に補強用リブ１４１が格子状に形成されている。また、ハウジングカバー１４０は、左右非対称に形成され、このハウジングカバー１４０がハウジング本体１１０に逆向きで被せられるのを防止すると共に後述するホルダ６００への逆挿入を防止している。また、ハウジングカバー１４０の裏面には、図１（Ｂ）に示すように、その幅方向両側にそれぞれ２つずつ係合凸部１４３，１４４が形成されている。また、ハウジングカバー１４０の中央部分には接続用端子抜け防止用の係止突起部１４８がカバー幅方向に所定間隔をなして形成されている（図１（Ｂ）参照）。
【００３１】
一方、ハウジングカバー１４０のコネクタハウジング端子嵌合面側先端に当該カバー捲れ防止用のテーパ部１４２が形成されているとともに（図１（Ａ）参照）、ハウジングカバー１４０の前端は積層されたハウジング本体１１０の最上段に位置するハウジング本体１１０の接続用端子嵌合面よりも後退した位置で当該ハウジング本体１１０に被せられるようになっている（図４及び図７、図８参照）。
【００３２】
ハウジング本体１１０は、図２（Ａ）及び図２（Ｂ）に示すように、内部に端子収容室１１６が６ヶ所並列に形成され、ハウジング本体上面にこの端子収容室１１６にそれぞれ対応する端子抜け防止用の窓部１１７が６ヶ所形成されている（図２（Ａ）参照）。また、ハウジング本体１１０の両側部には積層される上側のハウジング本体１１０又はハウジングカバー１４０に係合する係合凹部１３１，１３２がそれぞれ前後方向に形成されている。
【００３３】
また、ハウジング本体下面には、図２（Ｂ）に示すように、端子抜け防止用の係止突起部１３０がハウジング幅方向所定間隔を隔てて形成されている。また、ハウジング本体下面の両側部の前側にはハウジングカバー１４０に形成された係合凸部１４３と同様の係合凸部１３３が形成されているとともに、後側にもハウジングカバー１４０に形成された係合凸部１４４と同様の係合凸部１３４が形成されている。
【００３４】
また、各端子収容室１１６には、各接続用端子と係合するランス１２２が形成されている（図２（Ｂ）参照）。なお、ハウジング本体１１０の下面には接続用端子係合保持用ランス形成用の成型抜き穴１２３が形成されている。また、ハウジング本体１１０の両側部には左右非対称に形成され、ハウジング本体１１０を後述するホルダ６００に逆挿入するのを防止している。
【００３５】
また、各ハウジング本体１１０の上面において、当該ハウジング本体１１０の接続用端子嵌合面側とハウジングカバー１４０の先端との間のハウジング幅方向両端近傍にそれぞれカバー捲れ防止用リブ１１９が形成されている（図２（Ａ）参照）。このカバー捲れ防止用リブ１１９の高さは、図６乃至図８に示すように、ハウジングカバー１４０の厚みよりも低くなるように形成されている。
【００３６】
なお、このカバー捲れ防止用リブ１１９は、ハウジング本体上面の端子嵌合面上縁であって各カバー捲れ防止用リブ１１９がコネクタハウジング積層時に積層されるコネクタハウジングの成型抜き穴１２３に進入する位置に形成されている。
【００３７】
下端ハウジング１５０は、上述したハウジング本体１１０の構成と基本的に同じであるが、コネクタ組み付け状態においてこれが最も下側に位置することから明らかな通り、下端ハウジング１５０の下面両側部前後に係合凸部が形成されていない点と、各端子収容室１５６に対応する位置に端子抜け防止用突起部が形成されていない点、下端ハウジング１５０の上面にカバー捲れ防止用リブが形成されていない点が上述したハウジング本体１１０と構成上異なっている。すなわち、それ以外の構成、具体的にはハウジング内の端子収容室１５６、接続用端子を保持するランス１６２、ハウジング上面の窓部１５７、ハウジング両側部の前後方向に突出した係合凹部１７１，１７２はハウジング本体１１０と同様の構成として形成されている（図３参照）。
【００３８】
以上のような構成を有する下端ハウジング１５０、ハウジング本体１１０、及びハウジングカバー１４０をこの順番に積層させていく。このハウジング本体同士の積層に当たって、ハウジング本体同士を積層させたときに下側のハウジング本体１１０のカバー捲れ防止用リブ１１９が上側のハウジング本体１１０の成型抜き穴１２３に入り込み、上側のハウジング本体１１０に干渉することがない。そして、最上段のハウジング本体１１０にハウジングカバー１４０を被せる。
【００３９】
このようにハウジング本体同士を積層させたときに下側のハウジング本体１１０のカバー捲れ防止用リブ１１９が上側のハウジング本体１１０の成型抜き穴１２３に入り込み、上側のハウジング本体１１０に干渉させない構造をとることで、積層される各ハウジング本体１１０にカバー捲れ防止用リブ１１９を形成することができ、ハウジング本体１１０の部品共用化を図ることができる。
【００４０】
図４は、このようにして組付けたコネクタ１の斜視図である。同図に示すように、カバー先端に形成されたテーパ部１４２が積層されたハウジング本体１１０の最上段に位置するハウジング本体１１０の接続用端子嵌合面よりも後退した位置で当該ハウジング本体１１０に被せられるとともに、ハウジング本体１１０の接続用端子嵌合面側とハウジングカバー１４０のテーパ部先端との間のハウジング幅方向少なくとも一部にこのようなカバー捲れ防止用リブ１１９が位置するようになる。
【００４１】
このように組み付けたコネクタ１００のハウジングカバー１４０に他のコネクタや作業工具などの異物が当たっても関連技術に係るコネクタにおけるような問題が生じない。すなわち、ハーネス組み立て工程においてコネクタ１００をホルダ６００に挿入する前に異物がハウジングカバー前端に接触することでハウジングカバー１４０が捲れ上がったり、ハウジング本体１１０から逸脱してハウジング本体１１０の接続用端子抜け防止の窓部１１７に異物が侵入したりすることもない。
【００４２】
続いて、このように組付けられたコネクタ１００を挿入収容するホルダ６００について説明する。図９に示すホルダ６００は、上述のように組付けたコネクタ１を収容し、コネクタ１００に挿入されたメス端子をオスコネクタ（図示せず）のオス端子に嵌合させる役目を果たしている。なお、ホルダ６００は、強度と成型性に優れた例えばＰＢＴなどの樹脂でできている。
【００４３】
なお、ホルダ６００には、テコの原理を利用してこれらのコネクタ１や単層のコネクタの接続用端子をオスコネクタのオス端子に低嵌合させる側面視角型Ｕ字状をなしたレバー６１５が取り付けられている。図９のホルダ上下側壁部にはレバーを回動可能に支持する突起部６１０が形成されている。また、ホルダ６００のコネクタ挿入開口部は図９において側縁部の一部に若干の凹み部６２０が形成され、コネクタ１００のハウジングカバー１４０に形成された補強用リブ１４１を受け入れ可能としている。
【００４４】
このように組み付けたコネクタ１００をホルダ６００に挿入する際も、図１０に示すように、関連技術で説明したコネクタ１と異なり、ホルダ６００の開口端面にハウジングカバー１４０の先端が引っ掛かることがなく、ハウジングカバー１４０が捲れ上がったままコネクタ１００を無理に挿入しようとしてコネクタ１００を破損したり、ハウジングカバー１４０が捲れ上がった後にハウジング本体１１０から外れてハウジングカバー無しのままホルダ６００にコネクタ１００が挿入されて接続用端子抜けの問題を生じたりするようなことはない。
【００４５】
以上のようにホルダ６００にコネクタ１００や単層コネクタを挿入収容した後、各ホルダ６００に備わったレバーを起こして各ホルダ６００を例えばＰＢＴ等の強度と成型性に優れたオスコネクタ（図示せず）の所定のホルダ収容部に挿入する。オスコネクタには、ここでは図示しない底部にホルダ６００の極数に対応したオス端子が突出形成されている。また、これらのオス端子はここでは図示しない基板等に接続されている。オスコネクタの各ホルダ収容部にレバーを立てたままホルダ６００を挿入した後、ホルダ側の接続用端子をオスコネクタ側のオス端子に半嵌合させた状態でレバーを倒すことで、ここでは詳細には図示しないが、レバーに備わった係合爪とオスコネクタの係合凹部とが係合しながらテコの原理によってホルダ６００がオスコネクタの各ホルダ収容部に低嵌合力で引き込まれる。これによって、ホルダ側に備わったメス端子をオスコネクタ側に備わったオス端子に完全嵌合させるように導く。この接続用端子の嵌合時も、カバー１４０がコネクタに確実に備わっていることで、接続用端子がハウジング本体１１０から抜けるようなことはない。
【００４６】
以上説明したように、本発明によると、上述した実施形態に係るコネクタ１の構成を有することで、コネクタ１００をホルダ６００に挿入する際にハウジングカバー１４０が捲れ上がることがなく、ホルダへのコネクタの組み付け作業性が格段に向上するとともに、ハウジングカバー無しのままコネクタがホルダ内に挿入されることがなく、接続用端子の抜け難いコネクタを実現することができる。
【００４７】
なお、上述の実施形態とは異なり、図１１に示すように、コネクタ２００の接続用端子嵌合面側とハウジングカバー２４０の先端との間のハウジング幅方向にカバー捲れ防止用リブを形成することなく、ハウジングカバー２４０の接続用端子嵌合面側先端に当該カバー捲れ防止用のテーパ部２４２を形成し、かつこのテーパ部２４２の前端がコネクタ２００の端子嵌合面まで達するようなハウジングカバー２４０を備えたコネクタ２００としても良い。このような構成によっても、図１２及び同図の二点鎖線部分を拡大した図１３に示すように、コネクタ２００をホルダ６００に挿入する際、ハウジング本体２１０の開口端面がハウジングカバー２４０にぶつかることなく、その結果ハウジングカバー２４０の捲れ上がりの問題も生じない。
【００４８】
また、ハウジングカバーのコネクタハウジング端子嵌合面側先端に当該カバー捲れ防止用テーパ部が形成されていることは必ずしも必要とはされず、単にハウジングカバーの先端が前記積層されたコネクタハウジングの最上段に位置するコネクタハウジングの接続用端子嵌合面よりも後退した位置で当該コネクタハウジングに被せられていても、上述したカバー捲れ防止の効果を発揮できる。
【００４９】
しかしながら、この場合であっても、コネクタハウジングの接続用端子嵌合面側とカバーの先端との間のハウジング幅方向少なくとも一部にこのようなカバー捲れ防止用リブが形成されていることで、カバー捲れ防止の効果をより一層高めることができる。
【産業上の利用可能性】
【００５０】
本発明にかかるコネクタの適用範囲は自動車内ワイヤーハーネスの配索接続に特に適しているが、このような適用範囲には限定されず、家電製品や制御機器等の内部配線の接続にも好適に利用可能であることは言うまでもない。
【図面の簡単な説明】
【００５１】
【図１】本発明の一実施形態にかかるコネクタのハウジングカバーを斜め上方から見た斜視図（図１（Ａ））及びこのハウジングカバーを斜め下方から見た斜視図（図１（Ｂ））である。
【図２】本発明の一実施形態にかかるコネクタのハウジング本体を斜め上方から見た斜視図（図２（Ａ））及びこのハウジング本体を斜め下方から見た斜視図（図２（Ｂ））である。
【図３】本発明の一実施形態にかかるコネクタの下端ハウジングを斜め上方から見た斜視図（図３（Ａ））及びこの下端ハウジングを斜め下方から見た斜視図（図３（Ｂ））である。
【図４】図３に示した下端ハウジングに図２に示したハウジング本体を積層させて、この最上部に図１に示すハウジングカバーを被せた状態のコネクタを斜め上方から示す斜視図である。
【図５】図４に示したコネクタの平面図である。
【図６】図４に示したコネクタの正面図である。
【図７】図４に示したコネクタの側面図である。
【図８】図４に示したコネクタの接続用端子挿入方向断面図である。
【図９】図４に示したコネクタが挿入されるホルダを、レバーを除いて示した斜視図である。
【図１０】図４に示したコネクタを図９に示したホルダに挿入する状態を、ホルダのみを断面で示す断面図である。
【図１１】図４に示したコネクタの変形例を示す斜視図である。
【図１２】図１１に示したコネクタを図９に示したホルダに挿入する状態をホルダのみを断面で示す説明図である。
【図１３】図１１におけるコネクタのハウジングカバー先端とホルダとの関係を拡大して示す断面図である。
【図１４】本発明の関連技術にかかるコネクタを示した斜視図である。
【図１５】図１４に示したコネクタの接続用端子挿入方向に沿った断面図である。
【図１６】図１４に示したコネクタを挿入するホルダを、レバーを除いて示した斜視図である。
【符号の説明】
【００５２】
１    コネクタ
１０    ハウジング本体
１６    端子収容室
１７    窓部
２２    ランス
３０    係止突起部
３１，３２    係合凹部
３３，３４    係合凸部
４０    ハウジングカバー
４３，４４    係合凸部
４８    係止突起部
５０    下端ハウジング
５６    端子収容室
５７    窓部
６２    ランス
７１，７２    係合凹部
１００    コネクタ
１１０    ハウジング本体
１１６    端子収容室
１１７    窓部
１１９    カバー捲れ防止用リブ
１２２    ランス
１２３    成型抜き穴
１３０    係止突起部
１３１，１３２    係合凹部
１３３，１３４    係合凸部
１４０    ハウジングカバー
１４１    補強用リブ
１４２    テーパ部
１４３，１４４    係合凸部
１４８    係止突起部
１５０    下端ハウジング
１５６    端子収容室
１５７    窓部
１６２    ランス
１７１，１７２    係合凹部
２００    コネクタ
２１０    ハウジング本体
２４０    ハウジングカバー
２４２    テーパ部
５００    ホルダ
５１０    突起部
６００    ホルダ
６１０    突起部
６１５    レバー
６２０    凹み部
【図１】
2007012395.tif 000003
【図２】
2007012395.tif 000004
【図３】
2007012395.tif 000005
【図４】
2007012395.tif 000006
【図５】
2007012395.tif 000007
【図６】
2007012395.tif 000008
【図７】
2007012395.tif 000009
【図８】
2007012395.tif 000010
【図９】
2007012395.tif 000011
【図１０】
2007012395.tif 000012
【図１１】
2007012395.tif 000013
【図１２】
2007012395.tif 000014
【図１３】
2007012395.tif 000015
【図１４】
2007012395.tif 000016
【図１５】
2007012395.tif 000017
【図１６】
2007012395.tif 000018